(57)【要約】【課題】電解槽の水量と残留塩素濃度とを管理して配水管内の残留塩酸濃度が所定値よりも低下するのを確実に防いで水の品質を維持する。【解決手段】第１及び第２電解槽２，３を設け、これら第１及び第２電解槽２，３にそれぞれ第１及び第２電極ＮＷ１，ＮＷ２を設置する。これら第１及び第２電極ＮＷ１，ＮＷ２に電流を印加して塩素イオンを含む水道水を電気分解して次亜塩素酸を発生させ、制御部４からの信号により、第１及び第２電解槽２，３から輪番で高濃度の貯留水を配水管１０に注入し、配水管１０内の残留塩素濃度を調整する。【選択図】図１
2009285576.tif 000002
【特許請求の範囲】
【請求項１】
電極が設置され、該電極に電流を印加して塩素イオンを含む水道水を電気分解して次亜塩素酸を発生させる電解槽と、
上記電解槽の貯留水を配水管に注入して該配水管内の残留塩素濃度を調整する制御部とを備え、
上記電解槽は複数設けられ、上記制御部からの信号を受けて該複数の電解槽から輪番で貯留水を上記配水管に注入するように構成されている
ことを特徴とする配水管注入式残留塩素濃度管理装置。
【請求項２】
請求項１に記載の配水管注入式残留塩素濃度管理装置において、
上記複数の電解槽は、１つの注入用ポンプにそれぞれ注入用開閉弁を介して注入用配管で接続され、
上記制御部は、いずれか１つの注入用開閉弁を開いたときには、他の注入用開閉弁を全て閉じるように構成されている
ことを特徴とする配水管注入式残留塩素濃度管理装置。
【請求項３】
請求項１又は２に記載の配水管注入式残留塩素濃度管理装置において、
上記複数の電解槽は、１つの給水用ポンプにそれぞれ給水用開閉弁を介して上記配水管に接続され、
上記制御部は、いずれか１つの上記給水用開閉弁を開くと共に、上記給水用ポンプを駆動して該給水用開閉弁に接続された上記電解槽に水道水を補充するように構成されている
ことを特徴とする配水管注入式残留塩素濃度管理装置。
【請求項４】
請求項１乃至３のいずれか１つに記載の配水管注入式残留塩素濃度管理装置において、
上記配水管内の残留塩酸濃度を測定する配水管用濃度測定センサを備え、
上記制御部は、上記配水管用濃度測定センサで得られた値が所定値よりも低いときに、いずれか１つの上記電解槽から輪番で貯留水を上記配水管に注入するように構成されている
ことを特徴とする配水管注入式残留塩素濃度管理装置。
【請求項５】
請求項１乃至３のいずれか１つに記載の配水管注入式残留塩素濃度管理装置において、
上記制御部は、所定時間間隔を空けて上記複数の電解槽から輪番で貯留水を上記配水管に注入するように構成されている
ことを特徴とする配水管注入式残留塩素濃度管理装置。
【請求項６】
請求項１乃至３のいずれか１つに記載の配水管注入式残留塩素濃度管理装置において、
上記配水管に設けられた流量計を備え、
上記制御部は、上記流量計が所定の配水量を測定したときに、上記複数の電解槽から輪番で貯留水を上記配水管に注入するように構成されている
ことを特徴とする配水管注入式残留塩素濃度管理装置。
【請求項７】
請求項１乃至３のいずれか１つに記載の配水管注入式残留塩素濃度管理装置において、
上記制御部には、上記配水管で使用する配水量の予測データが予めインプットされ、該予測データに基づいて上記複数の電解槽から輪番で貯留水を上記配水管に注入するように構成されている
ことを特徴とする配水管注入式残留塩素濃度管理装置。
【請求項８】
請求項１乃至７のいずれか１つに記載の配水管注入式残留塩素濃度管理装置において、
上記複数の電解槽には、濃度測定用配管がそれぞれ接続され、該各濃度測定用配管が濃度測定用ポンプと、該濃度測定用ポンプによって取り出されて濃度測定用配管内を流れる貯留水の残留塩素濃度を計測する電解槽用濃度測定センサとに接続されている
ことを特徴とする配水管注入式残留塩素濃度管理装置。
【請求項９】
請求項１乃至７のいずれか１つに記載の配水管注入式残留塩素濃度管理装置において、
上記複数の電解槽には、濃度測定用配管がそれぞれ接続され、該各濃度測定用配管が濃度測定用開閉弁を介して１つの濃度測定用ポンプと、該濃度測定用ポンプによって取り出されて濃度測定用配管内を流れる貯留水の残留塩素濃度を計測する１つの電解槽用濃度測定センサとに接続されている
ことを特徴とする配水管注入式残留塩素濃度管理装置。
【請求項１０】
請求項１乃至７のいずれか１つに記載の配水管注入式残留塩素濃度管理装置において、
上記複数の電解槽の電極の起動及び停止は、タイマ管理されている
ことを特徴とする配水管注入式残留塩素濃度管理装置。
【発明の詳細な説明】
【技術分野】
【０００１】
本発明は、配水管内の残留塩素濃度を一定濃度以上に調整する配水管注入式残留塩素濃度管理装置に関するものである。
【背景技術】
【０００２】
水道法施行規則では、残留塩素濃度が０．１ｍｇ／ｌ以上水道水に含まれていることと定められている。残留塩素は、時間経過や汚染により低下し、いずれ消滅する。残留塩素を失った水は、空気中の雑菌が侵入して増殖し、病原菌で汚染されるおそれがある。
【０００３】
そこで、従来より、電極を設置した電解槽に水道水を注入しながら電極に直流電圧を印加し、電解槽内の水を電気分解してイオン水を連続的に生成する電解水供給装置が知られている（例えば、特許文献１参照）。この電解水供給装置は、複数の電解槽と、これらの電解槽の運転及び停止順位を管理する制御手段とを備えている。このことで、電解水の生成量を増大させるとともに、水質の維持と電極寿命の延長とを図ることができる。
【０００４】
また、例えば、特許文献２の残留塩素濃度維持装置は、塩素イオンを含む水道水を電気分解して塩素を発生させる電解槽と、貯水槽に貯留された水道水を電解槽を通して循環させる循環ポンプとを備え、電解槽及び循環ポンプを運転して貯水槽に貯留された水道水の残留塩素濃度を一定範囲に維持するようにしていている。この残留塩素濃度維持装置では、運転中の電解槽の電極電圧を検出し、電極電圧が所定値に達したら、電解槽の運転を停止するようにしている。
【特許文献１】特開２００２−２８６５３号公報
【特許文献２】特開２００４−２８３６６２号公報
【発明の開示】
【発明が解決しようとする課題】
【０００５】
ところで、上記従来の残留塩素濃度管理装置は、いずれもビルの屋上などに配置される貯留槽に蓄えられた貯留水の残塩濃度を管理するものであるが、このような貯留水ではなく配水管を通過する水道水の残留塩素濃度の管理をしたいというニーズがある。
【０００６】
このように常時流れる配水管の残留塩素濃度を維持管理するには、残塩濃度の高い貯留水を大量に注入しなければならず、電解槽の水量と残留塩素濃度とを確実に管理しなければ、配水管内の残留塩酸濃度が所定値よりも低下して水の品質を維持できないという問題があった。
【０００７】
本発明は、かかる点に鑑みてなされたものであり、その目的とするところは、電解槽の水量と残留塩素濃度とを管理して配水管内の残留塩酸濃度が所定値よりも低下するのを確実に防いで水の品質を維持することにある。
【課題を解決するための手段】
【０００８】
上記の目的を達成するために、この発明では、複数の電解槽を設けてこれらから輪番で残留塩酸濃度の高い貯留水を配水管内に注入するようにした。
【０００９】
具体的には、第１の発明では、電極が設置され、該電極に電流を印加して塩素イオンを含む水道水を電気分解して次亜塩素酸を発生させる電解槽と、該電解槽の貯留水を配水管に注入して該配水管内の残留塩素濃度を調整する制御部とを備えた配水管注入式残留塩素濃度管理装置を対象とする。
【００１０】
そして、上記電解槽は複数設けられ、上記制御部からの信号を受けて該複数の電解槽から輪番で貯留水を上記配水管に注入するように構成されている。
【００１１】
上記の構成によると、電解槽で高い残留塩素濃度に保たれた貯留水が、制御部の指示により配水管に適宜注入されるので、配水管内を通る水の品質が保たれる。このとき、複数の電解槽を輪番で使用しているので、いずれか１つの電解槽で貯留水を注入中に残りの電解槽の水位及び残留塩素濃度を保つことができる。
【００１２】
第２の発明では、第１の発明において、
上記複数の電解槽は、１つの注入用ポンプにそれぞれ注入用開閉弁を介して注入用配管で接続され、
上記制御部は、いずれか１つの注入用開閉弁を開いたときには、他の注入用開閉弁を全て閉じるように構成されている。
【００１３】
上記の構成によると、いずれか１つの注入用開閉弁を開いて対応する電解槽から高い残留塩素濃度の貯留水を注入中は、他の注入用開閉弁が確実に閉じられるので、その間に残りの電解槽の水位及び残留塩素濃度を保つことができる。
【００１４】
第３の発明では、第１又は第２の発明において、
上記複数の電解槽は、１つの給水用ポンプにそれぞれ給水用開閉弁を介して上記配水管に接続され、
上記制御部は、いずれか１つの上記給水用開閉弁を開くと共に、上記給水用ポンプを駆動して該給水用開閉弁に接続された上記電解槽に水道水を補充するように構成されている。
【００１５】
上記の構成によると、１つの給水用ポンプで、水位の減った電解槽の水位を回復することができるので、ポンプの台数が少なくて済み、製造コスト及び維持コストの低減が可能である。
【００１６】
第４の発明では、第１乃至第３のいずれか１つの発明において、
上記配水管内の残留塩酸濃度を測定する配水管用濃度測定センサを備え、
上記制御部は、上記配水管用濃度測定センサで得られた値が所定値よりも低いときに、いずれか１つの上記電解槽から輪番で貯留水を上記配水管に注入するように構成されている。
【００１７】
上記の構成によると、配水管用濃度測定センサが配水管内の残留塩酸濃度をリアルタイムに計測することで、その信号を得た制御部がいずれか１つの電解槽から輪番で高い残留塩素濃度の貯留水を注入するので、配水管内の水質が確実に維持される。また、配水管用濃度測定センサの計測結果を利用することで、配水管内の濃度が最適に維持され、必要以上に電解槽から貯留水を注入する必要がなくなる。
【００１８】
第５の発明では、第１乃至第３のいずれか１つの発明において、
上記制御部は、所定時間間隔を空けて上記複数の電解槽から輪番で貯留水を上記配水管に注入するように構成されている。
【００１９】
上記の構成によると、配水管内の残留塩素濃度を計測する配水管用濃度測定センサを設けなくても、一定時間間隔で複数の電解槽から輪番で高い残留塩素濃度の貯留水を確実に配水管内に注入することで、配水管内の水質が維持される。
【００２０】
第６の発明では、第１乃至第３のいずれか１つの発明において、
上記配水管に設けられた流量計を備え、
上記制御部は、上記流量計が所定の配水量を測定したときに、上記複数の電解槽から輪番で貯留水を上記配水管に注入するように構成されている。
【００２１】
上記の構成によると、配水管内を通る配水量を計測することで、その配水量に合わせて高い残留塩酸濃度の貯留水を注入すれば、配水管内の残留塩酸濃度が低下するのを防ぐことができるので、高価な配水管用濃度測定センサを設ける必要がなく、製造コスト及び維持コストの低減が可能である。
【００２２】
第７の発明では、第１乃至第３のいずれか１つの発明において、
上記制御部には、上記配水管で使用する配水量の予測データが予めインプットされ、該予測データに基づいて上記複数の電解槽から輪番で貯留水を上記配水管に注入するように構成されている。
【００２３】
上記の構成によると、配水管内を通過する水の配水量は、ある程度季節や時間によって予測可能であるため、予め予測された予測データに合わせて複数の電解槽から輪番で高い残留塩素濃度の貯留水を注入すれば配水管内の残留塩酸濃度の低下を防ぐことができ、また、高価な配水管用濃度測定センサを設ける必要がなく、製造コスト及び維持コストの低減が可能である。
【００２４】
第８の発明では、第１乃至第７のいずれか１つの発明において、
上記複数の電解槽には、該複数の電解槽内の貯留水を取り出す濃度測定用ポンプと該複数の電解槽内の貯留水の残留塩素濃度を計測する電解槽用濃度測定センサとがそれぞれ設けられている。
【００２５】
上記の構成によると、複数の電解槽に対応する電解槽用濃度測定センサで電解槽内の残留塩素濃度をリアルタイムで計測することができるので、その計測値を利用して複数の電解槽内の残留塩素濃度を容易且つ確実に管理できる。
【００２６】
第９の発明では、第１乃至第７のいずれか１つの発明において、
上記複数の電解槽には、濃度測定用配管がそれぞれ接続され、該各濃度測定用配管が濃度測定用開閉弁を介して１つの濃度測定用ポンプと１つの電解槽用濃度測定センサとに接続されている。
【００２７】
上記の構成によると、濃度測定用開閉弁を開閉することで、１つの濃度測定用ポンプ及び１つの電解槽用濃度測定センサだけで複数の電解槽内の残留塩素濃度が管理できるので、製造コスト及び維持コストの低減が可能である。
【００２８】
第１０の発明では、第１乃至第７のいずれか１つの発明において、
上記複数の電解槽の電極の起動及び停止は、タイマ管理されている。
【００２９】
上記の構成によると、タイマ管理をすることで、濃度測定用ポンプ及び電解槽用濃度測定センサを設ける必要がなくなり、複数の第２電解槽内の残留塩素濃度が管理できるので、さらなる製造コスト及び維持コストの低減が可能である。
【発明の効果】
【００３０】
以上説明したように、本発明によれば、配水管注入式残留塩素濃度管理装置に複数の電解槽を設け、制御部によって複数の電解槽から輪番で残留塩酸濃度の高い貯留水を配水管内に注入するようにしたことにより、電解槽の水量と残留塩素濃度とを管理して配水管内の残留塩酸濃度が所定値よりも低下するのを確実に防いで水の品質を維持することができる。
【発明を実施するための最良の形態】
【００３１】
以下、本発明の実施形態を図面に基づいて説明する。
【００３２】
（実施形態１）
図１は本発明の実施形態１の配水管注入式残留塩素濃度管理装置１を示し、この残留塩素濃度管理装置１は、例えば２つの電解槽２，３を備えている。濃度管理装置１の各構成部品は、制御部４によって制御されている。
【００３３】
第１電解槽２には第１電極ＮＷ１が設置され、第２電解槽３には第２電極ＮＷ２が設置されている。これら第１及び第２電極ＮＷ１，ＮＷ２は、制御部４の指示により電流が印加され、塩素イオンを含む水道水を電気分解して次亜塩素酸を発生させるように構成されている。各電解槽２，３には、電解槽２，３内の貯留水の水位Ｈ１，Ｈ２を計測する水位電極７がそれぞれ設けられ、この水位電極７は電解槽２，３内の下限値ＬＷＬを計測する下限値側電極７ａと、上限値ＨＷＬを計測する上限値側電極７ｂとを備えている。水位電極７の検出結果は制御部４に送信されるようになっている。
【００３４】
第１電解槽２は、１つの注入用ポンプＰ２に第１注入用開閉弁Ｖｏｕｔ１を介して第１注入用配管８ａで接続され、第２電解槽３は、同じ注入用ポンプＰ２に第２注入用開閉弁Ｖｏｕｔ２を介して第２注入用配管８ｂで接続されている。第１及び第２注入用開閉弁Ｖｏｕｔ１，Ｖｏｕｔ２は例えば電磁切換弁よりなる。第１及び第２注入用配管８ａ，８ｂの注入用ポンプＰ２の下流側は、第３注入用配管８ｃを介して配水管１０に接続されている。制御部４は、注入用開閉弁Ｖｏｕｔ１，Ｖｏｕｔ２及び注入用ポンプＰ２に信号を送り、電解槽２，３の貯留水を配水管１０に注入して該配水管１０内の残留塩素濃度を調整するように構成されている。つまり、電解槽２，３は、制御部４からの信号を受けて輪番で（交互に）貯留水を配水管１０に注入するように構成されている。制御部４は、いずれか１つの注入用開閉弁Ｖｏｕｔ１，Ｖｏｕｔ２を開いたときには、他の注入用開閉弁Ｖｏｕｔ１，Ｖｏｕｔ２を閉じるように構成されている。注入用ポンプＰ２は、制御部４からの信号をインバータ部ＩＮＶ１が受けてインバータ制御されるようになっている。
【００３５】
残留塩素濃度管理装置１は、配水管１０内を通過する水を吸い出す配水管濃度測定用ポンプＰ３と、この配水管濃度測定用ポンプＰ３で吸い出された水の残留塩酸濃度を測定する配水管用濃度測定センサＣＭ１とを備えている。制御部４は、適宜配水管濃度測定用ポンプＰ３に制御信号を送ると共に、配水管用濃度測定センサＣＭ１で得られた結果を入手するようになっている。そして、制御部４は、配水管用濃度測定センサＣＭ１で得られた値が所定値よりも低いときに、いずれか１つの電解槽２，３から輪番で貯留水を配水管１０に注入するように構成されている。
【００３６】
第１電解槽２の第１注入用配管８ａの下流は分岐されて第１濃度測定用配管９ａが接続され、この第１濃度測定用配管９ａには、第１電解槽２内の貯留水を取り出す第１濃度測定用ポンプＰ４と第１電解槽２内の貯留水の残留塩素濃度を計測する第１電解槽用濃度測定センサＣＭ２とが接続されている。第１濃度測定用ポンプＰ４により取り出された微量の第１電解槽２内の貯留水は、第１電解槽用濃度測定センサＣＭ２を通る間に残留塩素濃度を測定された後、第３濃度測定用配管９ｃから排水されるように構成されている。
【００３７】
同様に第２電解槽３の第２注入用配管８ｂの下流は分岐されて第２濃度測定用配管９ｂが接続され、この第２濃度測定用配管９ｂには、第２電解槽３内の貯留水を取り出す第２濃度測定用ポンプＰ５と第２電解槽３内の貯留水の残留塩素濃度を計測する第２電解槽用濃度測定センサＣＭ３とが接続されている。第２濃度測定用ポンプＰ５により取り出された微量の第２電解槽３内の貯留水は、第２電解槽用濃度測定センサＣＭ３を通る間に残留塩素濃度を測定された後、第３濃度測定用配管９ｃから排水されるように構成されている。
【００３８】
第１及び第２電解槽２，３は、１つの給水用ポンプＰ１にそれぞれ第１及び第２給水用開閉弁Ｖｉｎ１，Ｖｉｎ２を介して配水管１０に接続されている。第１及び第２給水用開閉弁Ｖｉｎ１，Ｖｉｎ２は例えば電磁切換弁よりなる。制御部４は、いずれか１つの第１及び第２給水用開閉弁Ｖｉｎ１，Ｖｉｎ２を開くと共に、給水用ポンプＰ１を駆動して開いた方の第１又は第２給水用開閉弁Ｖｉｎ１，Ｖｉｎ２に接続された第１又は第２電解槽２，３のいずれかに水道水を補充するように構成されている。
【００３９】
−運転動作−
次に、本実施形態にかかる配水管注入式残留塩素濃度管理装置１の運転動作について図２〜図８のフローチャートを用いて説明する。
【００４０】
＜メインルーチン＞
図２に示すように、まず、残留塩素濃度管理装置１のメインをスタートさせ、ステップＳ１に進む。
【００４１】
ステップＳ１では、後述する図７及び図８の第１及び第２電解槽２，３内の残留塩素濃度を維持するための第１及び第２電解槽内濃度維持処理Ｃ１，Ｃ２を行う。
【００４２】
第１及び第２電解槽内濃度維持処理Ｃ１，Ｃ２の起動が終わると、ステップＳ２に進む。
【００４３】
ステップＳ２において、配水管濃度測定用ポンプＰ３を起動し、配水管用濃度測定センサＣＭ１による配水管１０内の残留塩素濃度の測定を開始し、ステップＳ３に進む。
【００４４】
ステップＳ３において、配水管用濃度測定センサＣＭ１の濃度が下限値ｍ１ｍｉｎ以下であるかが判定される。ｍ１ｍｉｎ以下のときには、配水管１０内の濃度が不十分であるため、ステップＳ４に進み、第１注入用開閉弁Ｖｏｕｔ１を開いて注入用ポンプＰ２を起動し、ステップＳ５に進む。このことで、第１電解槽２で高い残留塩素濃度に保たれた貯留水が、制御部４の指示により配水管１０に適宜注入されるので、配水管１０内を通る水の品質が保たれる。
【００４５】
ステップＳ５では、第１電解槽２内の水位Ｈ１が下限値ＬＷＬ以下であるかが判定される。第１電解槽２内の水位Ｈ１が下限値ＬＷＬ以下である場合には、第１電解槽２内に給水が必要となるので、ステップＳ６に進み、後述する図３の第１給水処理Ａ１を開始する。第１給水処理Ａ１が終了すると、ステップＳ３に戻る。
【００４６】
逆にステップＳ５の判定において、第１電解槽２内の水位Ｈ１が下限値ＬＷＬよりも高い場合には、第１電解槽２内に給水を必要としないので、ステップＳ７に進む。
【００４７】
ステップＳ７において、配水管用濃度測定センサＣＭ１の濃度が上限値ｍ１ｍａｘ以上であるかが判定される。上限値ｍ１ｍａｘ以上のときには、濃度は十分であるので、ステップＳ８に進み、第１注入用開閉弁Ｖｏｕｔ１を閉じて注入用ポンプＰ２を停止し、ステップＳ９に進む。
【００４８】
逆に上限値ｍ１ｍａｘよりも小さいときには、濃度は不十分であるので、ステップＳ５に戻って第１電解槽２内からの注水が続行される。
【００４９】
ステップＳ９では、第１電解槽２内に水道水を給水するために、後述する図５の第１電解槽給水処理Ａ２を行い、ステップＳ１０に進む。
【００５０】
ステップＳ１０では、配水管用濃度測定センサＣＭ１の濃度が下限値ｍ１ｍｉｎ以下であるかが判定される。ｍ１ｍｉｎ以下のときには、配水管１０内の濃度が不十分であるため、ステップＳ１１に進み、第２注入用開閉弁Ｖｏｕｔ２を開いて注入用ポンプＰ２を起動し、ステップＳ１２に進む。このことで、第１電解槽２に代わって第２電解槽３で高い残留塩素濃度に保たれた貯留水が、制御部４の指示により配水管１０に適宜注入される。
【００５１】
ステップＳ１２において、第２電解槽３内の水位Ｈ２が下限値ＬＷＬ以下であるか判定される。下限値ＬＷＬ以下であれば、第２電解槽３内に給水が必要であるので、ステップＳ１３に進み、後述する図４の第２給水処理Ｂ１を開始する。第２給水処理Ｂ１が終了すると、ステップＳ１０に戻る。
【００５２】
逆にステップＳ１２において、第２電解槽３内の水位Ｈ２が下限値ＬＷＬよりも高いときにはステップＳ１４に進み、配水管用濃度測定センサＣＭ１の濃度が上限値ｍ１ｍａｘ以上であるかが判定される。上限値ｍ１ｍａｘ以上のときには、濃度は十分であるので、ステップＳ１５に進む。上限値ｍ１ｍａｘよりも低いときには、濃度は不十分であるので、ステップＳ１２に戻って第２電解槽３からの注水を続行する。
【００５３】
ステップＳ１５では、第２注入用開閉弁Ｖｏｕｔ２を閉じて注入用ポンプＰ２を停止し、ステップＳ１６に進んで後述する図６の第２電解槽給水処理Ｂ２を行い、メインを終了する。
【００５４】
＜第１給水処理Ａ１＞
図３に示すように、第１給水処理Ａ１では、まず、ステップＳ２０１において、第１注入用開閉弁Ｖｏｕｔ１を閉じて注入用ポンプＰ２を停止する。
【００５５】
次いで、ステップＳ２０２において、第１電解槽２内に水道水を給水するために、後述する第１電解槽給水処理Ａ２を行う。
【００５６】
第１電解槽給水処理Ａ２が開始されると、ステップＳ２０３において、第２電解槽３内の水位Ｈ２が下限値ＬＷＬ以下であるか判定される。下限値ＬＷＬ以下であれば、ステップＳ２０４に進み、電解槽２の水位が足りない旨の警報を発し、ステップＳ２０５に進む。
【００５７】
ステップＳ２０５では、後述する第２電解槽給水処理Ｂ２を行い、この第２電解槽給水処理Ｂ２が終了すると、ステップＳ２０３に戻る。
【００５８】
逆にステップＳ２０３において下限値ＬＷＬよりも水位Ｈ１が高い場合には、第２電解槽３内の貯留水は十分にあると判断してステップＳ２０６に進む。
【００５９】
ステップＳ２０６では、第２注入用開閉弁Ｖｏｕｔ２を開いて注入用ポンプＰ２を起動し、ステップＳ２０７に進む。このことで、第１電解槽２内に代わって第２電解槽３で高い残留塩素濃度に保たれた貯留水が、制御部４の指示により配水管１０に適宜注入されるので、配水管１０内を通る水の品質が保たれる。
【００６０】
ステップＳ２０７において、再び第２電解槽３内の水位Ｈ２が下限値ＬＷＬ以下であるか判定される。下限値ＬＷＬ以下であれば、ステップＳ２０８に進み、電解槽２の水位が足りない旨の警報を発し、ステップＳ２０９に進んで、上記と同様に第２電解槽給水処理Ｂ２を行った後、ステップＳ２０７に戻る。
【００６１】
逆にステップＳ２０７において、下限値よりも高いときには、ステップＳ２１０に進む。
【００６２】
ステップＳ２１０では、配水管用濃度測定センサＣＭ１の濃度が上限値ｍ１ｍａｘ以上であるかが判定される。上限値ｍ１ｍａｘよりも低いときには、配水管１０内の濃度が不十分であるため、ステップＳ２０７に戻り、注入用ポンプＰ２の駆動が維持される。一方、上限値ｍ１ｍａｘ以上のときには、濃度は十分であるので、ステップＳ２１１に進み、第２注入用開閉弁Ｖｏｕｔ２を閉じて注入用ポンプＰ２を停止する。次いで、ステップＳ２１２に進んで、後述する第２電解槽給水処理Ｂ２を行い、第１給水処理Ａ１を終了する。
【００６３】
＜第２給水処理Ｂ１＞
図４に示すように、第２給水処理Ｂ１では、まず、ステップＳ２２１において、第２注入用開閉弁Ｖｏｕｔ２を閉じて注入用ポンプＰ２を停止する。
【００６４】
次いで、ステップＳ２２２において、後述する図６の第２電解槽給水処理Ｂ２を行う。
【００６５】
第２電解槽給水処理Ｂ２が開始されると、ステップＳ２２３において、第１電解槽２内の水位Ｈ１が下限値ＬＷＬ以下であるか判定される。下限値ＬＷＬ以下であれば、ステップＳ２２４に進み、第１電解槽２の水位が足りない旨の警報を発し、ステップＳ２２５に進む。
【００６６】
ステップＳ２２５では、後述する図５に示す第１電解槽給水処理Ａ２を行い、第１電解槽給水処理Ａ２が終了すると、ステップＳ２２３に戻る。
【００６７】
逆にステップＳ２２３において下限値ＬＷＬよりも水位Ｈ１が高い場合には、第１電解槽２内の貯留水は十分にあると判断してステップＳ２２６に進む。
【００６８】
ステップＳ２２６では、第１注入用開閉弁Ｖｏｕｔ１を開いて注入用ポンプＰ２を起動し、ステップＳ２２７に進む。このことで、第２電解槽３内に代わって第１電解槽２で高い残留塩素濃度に保たれた貯留水が、制御部４の指示により配水管１０に適宜注入される。
【００６９】
ステップＳ２２７において、再び第１電解槽２内の水位Ｈ１が下限値ＬＷＬ以下であるか判定される。下限値ＬＷＬ以下であれば、ステップＳ２２８に進み、電解槽１の水位が足りない旨の警報を発し、ステップＳ２２９に進んで、上記と同様に第１電解槽給水処理Ａ２を行った後、ステップＳ２２７に戻る。
【００７０】
逆にステップＳ２２７において、下限値ＬＷＬよりも高いときには、ステップＳ２３０に進む。
【００７１】
ステップＳ２３０では、配水管用濃度測定センサＣＭ１の濃度が上限値ｍ１ｍａｘ以上であるかが判定される。上限値ｍ１ｍａｘよりも低いときには、配水管１０内の濃度が不十分であるため、ステップＳ２２７に戻り、注入用ポンプＰ２の駆動が維持される。一方、上限値ｍ１ｍａｘ以上のときには、濃度は十分であるので、ステップＳ２３１に進み、第１注入用開閉弁Ｖｏｕｔ１を閉じて注入用ポンプＰ２を停止する。次いで、ステップＳ２３２に進んで、後述する第１電解槽給水処理Ａ２を行い、第２給水処理Ｂ１を終了する。
【００７２】
＜第１電解槽給水処理Ａ２＞
図５に示すように、第１電解槽給水処理Ａ２では、ステップＳ３０１において、第１給水用開閉弁Ｖｉｎ１を開いて給水用ポンプＰ１を起動し、第１電解槽２内に配水管１０内の水道水を給水する。
【００７３】
次いで、ステップＳ３０２において、第１電解槽２内の水位Ｈ１が上限値ＨＷＬ以上であるか判定される。上限値ＨＷＬ以上になれば給水は十分であるので、ステップＳ３０３に進んで第１給水用開閉弁Ｖｉｎ１を閉じて給水用ポンプＰ１を停止し、第１電解槽給水処理Ａ２を終了する。
【００７４】
＜第２電解槽給水処理Ｂ２＞
図６に示すように、第２電解槽給水処理Ｂ２では、ステップＳ３１１において、第２給水用開閉弁Ｖｉｎ２を開いて給水用ポンプＰ１を起動し、第２電解槽３内に配水管１０内の水を給水する。
【００７５】
次いで、ステップＳ３１２において、第２電解槽３内の水位Ｈ２が上限値ＨＷＬ以上であるか判定される。上限値ＨＷＬ以上になれば給水は十分であるので、ステップＳ３１３に進んで第２給水用開閉弁Ｖｉｎ２を閉じて給水用ポンプＰ１を停止し、第２電解槽給水処理Ｂ２を終了する。
【００７６】
＜第１電解槽内濃度維持処理Ｃ１＞
図７に示すように、第１電解槽内濃度維持処理Ｃ１では、ステップＳ１０１において、第１濃度測定用ポンプＰ４を起動する。
【００７７】
次いで、ステップＳ１０２において、第１電解槽用濃度測定センサＣＭ２の値が所定の濃度ｍ２ｍｉｎ以下であるかどうかを判定し、ｍ２ｍｉｎを越えるときはステップＳ１０２に戻り、ｍ２ｍｉｎ以下となるまで同様の判定を繰り返す。
【００７８】
逆にｍ２ｍｉｎ以下のときは、ステップＳ１０３に進み、第１電極ＮＷ１を起動し、第１電解槽２内の残留塩素濃度を上昇させ、ステップＳ１０４に進む。
【００７９】
ステップＳ１０４において、第１電解槽用濃度測定センサＣＭ２の値が所定の濃度ｍ２ｍａｘ以上であるかどうかを判定し、ｍ２ｍａｘよりも小さいときステップＳ１０４に戻り、ｍ２ｍａｘ以上となるまで同様の判定を繰り返す。この間、第１電極ＮＷ１は起動したままとなっている。
【００８０】
逆にｍ２ｍａｘ以上であるときは、第１電解槽２内の濃度が十分であるためステップＳ１０５に進み、第１電極ＮＷ１を停止する。この第１電解槽内濃度維持処理Ｃ１は、残留塩素濃度管理装置１が駆動されている限り繰り返し行われる。
【００８１】
＜第２電解槽内濃度維持処理Ｃ２＞
同様に図８に示すように、第２電解槽内濃度維持処理Ｃ２では、ステップＳ１１１において、第２濃度測定用ポンプＰ５を起動する。
【００８２】
次いで、ステップＳ１１２において、第２電解槽用濃度測定センサＣＭ３の値が所定の濃度ｍ３ｍｉｎ以下であるかどうかを判定し、ｍ３ｍｉｎを越えるときはステップＳ１１２に戻り、ｍ３ｍｉｎ以下となるまで同様の判定を繰り返す。
【００８３】
逆にｍ３ｍｉｎ以下のときは、ステップＳ１１３に進み、第２電極ＮＷ２を起動し、第２電解槽３内の残留塩素濃度を上昇させ、ステップＳ１１４に進む。
【００８４】
ステップＳ１１４において、第２電解槽用濃度測定センサＣＭ３の値が所定の濃度ｍ３ｍａｘ以上であるかどうかを判定し、ｍ３ｍａｘよりも小さいときステップＳ１１４に戻り、ｍ３ｍａｘ以上となるまで同様の判定を繰り返す。この間、第２電極ＮＷ２は起動したままとなっている。
【００８５】
逆にｍ３ｍａｘ以上であるときは、第２電解槽３内の濃度が十分であるためステップＳ１１５に進み、第２電極ＮＷ２を停止する。この第２電解槽内濃度維持処理Ｃ２は、残留塩素濃度管理装置１が駆動されている限り繰り返し行われる。
【００８６】
以上説明したように、本実施形態では、第１及び第２電解槽２，３を輪番で使用しているので、いずれか１つの第１及び第２電解槽２，３で貯留水を注入中に残りの第１及び第２電解槽２，３の水位及び残留塩素濃度を保つことができる。
【００８７】
また、いずれか１つの注入用開閉弁Ｖｏｕｔ１，Ｖｏｕｔ２を開き、対応する第１及び第２電解槽２，３から高い残留塩素濃度の貯留水を注入中は、他の注入用開閉弁Ｖｏｕｔ１，Ｖｏｕｔ２が確実に閉じられるので、その間に残りの第１及び第２電解槽２，３の水位及び残留塩素濃度を保つことができる。
【００８８】
また、配水管用濃度測定センサＣＭ１が配水管１０内の残留塩酸濃度をリアルタイムに計測することで、その信号を得た制御部４がいずれか１つの第１及び第２電解槽２，３から高い残留塩素濃度の貯留水を注入するので、配水管１０内の水質が確実に維持される。また、配水管用濃度測定センサＣＭ１の計測結果を利用することで、配水管１０内の濃度が最適に維持され、必要以上に第１及び第２電解槽２，３から貯留水を注入する必要がなくなる。
【００８９】
また、第１及び第２電解槽２，３に対応する電解槽用濃度測定センサＣＭ２，ＣＭ３で第１及び第２電解槽２，３内の残留塩素濃度をリアルタイムで計測することができるので、第１及び第２電解槽２，３内の残留塩素濃度を容易に管理できる。
【００９０】
さらに、１つの給水用ポンプＰ１で、水位の減った第１及び第２電解槽２，３の水位を回復することができるので、ポンプの台数が少なくて済み、製造コスト及び維持コストの低減が可能である。
【００９１】
したがって、本実施形態にかかる配水管１０注入式残留塩素濃度管理装置１によると、配水管注入式残留塩素濃度管理装置１に第１及び第２電解槽２，３を設け、制御部４によって第１及び第２電解槽２，３から輪番で残留塩酸濃度の高い貯留水を配水管１０内に注入するようにしたことにより、第１及び第２電解槽２，３の水量と残留塩素濃度とを管理して配水管１０内の残留塩酸濃度が所定値よりも低下するのを確実に防いで水の品質を維持することができる。
【００９２】
−実施形態１の変形例１−
上記実施形態では、第１及び第２電解槽２，３の下流側にそれぞれ第１及び第２濃度測定用配管９ａ，９ｂをそれぞれ接続し、各濃度測定用配管９ａ，９ｂをそれぞれ第１濃度測定用ポンプＰ４又は第２濃度測定用ポンプＰ５に接続したが、本変形例の残留塩素濃度管理装置１０１では、図９に示すように、各濃度測定用配管９ａ，９ｂを第１及び第２濃度測定用開閉弁Ｖｃｍ１，Ｖｃｍ２を介して１つの濃度測定用ポンプＰ４と１つの電解槽用濃度測定センサＣＭ２とに接続してもよい。第１及び第２濃度測定用開閉弁Ｖｃｍ１，Ｖｃｍ２は、例えば電磁切換弁とすればよい。なお、以下の各変形例及び実施形態では、図１〜図８と同じ部分については同じ符号を付してその詳細な説明は省略する。
【００９３】
この場合には、図２のステップＳ１にある第１及び第２電解槽内濃度維持処理Ｃ１，Ｃ２を次の第３電解槽内濃度維持処理Ｃ３に置き換えればよい。
【００９４】
＜第３電解槽内濃度維持処理Ｃ３＞
図１０に示すように、第３電解槽内濃度維持処理Ｃ３では、ステップＳ１２１において、第１濃度測定用開閉弁Ｖｃｍ１を開き、第２濃度測定用開閉弁Ｖｃｍ２を閉じ、濃度測定用ポンプＰ４を起動する。
【００９５】
次いで、ステップＳ１２２において、電解槽用濃度測定センサＣＭ２の値が所定の濃度ｍ２ｍｉｎ以下であるかどうかを判定し、ｍ２ｍｉｎを越えるときはステップＳ１２２に戻り、ｍ２ｍｉｎ以下となるまで同様の判定を繰り返す。
【００９６】
逆にｍ２ｍｉｎ以下のときは、ステップＳ１２３に進み、第１電極ＮＷ１を起動し、第１電解槽２内の残留塩素濃度を上昇させ、ステップＳ１２４に進む。
【００９７】
ステップＳ１２４において、電解槽用濃度測定センサＣＭ２の値が所定の濃度ｍ２ｍａｘ以上であるかどうかを判定し、ｍ２ｍａｘよりも小さいときステップＳ１２４に戻り、ｍ２ｍａｘ以上となるまで同様の判定を繰り返す。この間、第１電極ＮＷ１は起動したままとなっている。
【００９８】
逆にｍ２ｍａｘ以上であるときは、第１電解槽２内の濃度が十分であるためステップＳ１２５に進み、第１電極ＮＷ１を停止し、ステップＳ１２６に進む。
【００９９】
次いで、ステップＳ１２６において、所定の時間ｔ１が経過したかが判定され、時間ｔ１が経過すると、ステップＳ１２７に進む。
【０１００】
ステップＳ１２７において、第１濃度測定用開閉弁Ｖｃｍ１を閉じ、第２濃度測定用開閉弁Ｖｃｍ２を開く。
【０１０１】
次いで、ステップＳ１２８において、電解槽用濃度測定センサＣＭ２の値が所定の濃度ｍ２ｍｉｎ以下であるかどうかを判定し、ｍ２ｍｉｎを越えるときはステップＳ１２８に戻り、ｍ２ｍｉｎ以下となるまで同様の判定を繰り返す。
【０１０２】
逆にｍ２ｍｉｎ以下のときは、ステップＳ１２９に進み、第２電極ＮＷ２を起動し、第２電解槽３内の残留塩素濃度を上昇させ、ステップＳ１３０に進む。
【０１０３】
ステップＳ１３０において、電解槽用濃度測定センサＣＭ２の値が所定の濃度ｍ２ｍａｘ以上であるかどうかを判定し、ｍ２ｍａｘよりも小さいときステップＳ１３０に戻り、ｍ２ｍａｘ以上となるまで同様の判定を繰り返す。この間、第２電極ＮＷ２は起動したままとなっている。
【０１０４】
逆にｍ２ｍａｘ以上であるときは、第２電解槽３内の濃度が十分であるためステップＳ１３１に進み、第２電極ＮＷ２を停止し、ステップＳ１３２に進む。
【０１０５】
ステップＳ１３２では、ｔ２が経過したかが判定される。ｔ２が経過していなければ、ステップＳ１２８に戻り、ｔ２が経過すると、ステップＳ１２１に戻る。
【０１０６】
この第３電解槽内濃度維持処理Ｃ３は、残留塩素濃度管理装置１０１が駆動されている限り繰り返し行われる。
【０１０７】
したがって、本変形例では、タイマ管理により第１又は第２濃度測定用開閉弁Ｖｃｍ１，Ｖｃｍ２を開閉することで、１つの濃度測定用ポンプＰ４及び１つの電解槽用濃度測定センサＣＭ２だけで第１及び第２電解槽２，３内の残留塩素濃度が確実に管理できるので、製造コスト及び維持コストの低減が可能である。
【０１０８】
−実施形態１の変形例２−
上記実施形態では、第１及び第２電解槽２，３の下流側にそれぞれ第１及び第２濃度測定用配管９ａ，９ｂをそれぞれ接続し、各濃度測定用配管９ａ，９ｂをそれぞれ第１濃度測定用ポンプＰ４又は第２濃度測定用ポンプＰ５とに接続したが、図１１に示すように、本変形例の残留塩素濃度管理装置２０１では、第１及び第２濃度測定用ポンプＰ４，Ｐ５並びに第１及び第２電解槽用濃度測定センサＣＭ２，ＣＭ３を備えず、タイマ管理で第１及び第２電解槽２，３の残留塩素濃度を管理するように構成されている。
【０１０９】
この場合には、図２のステップＳ１にある第１及び第２電解槽内濃度維持処理Ｃ１，Ｃ２を次の第４及び第５電解槽内濃度維持処理Ｃ４，Ｃ５に置き換えればよい。
【０１１０】
＜第４電解槽内濃度維持処理Ｃ４＞
図１２に示すように、第４電解槽内濃度維持処理Ｃ４では、ステップＳ１４０において、第１給水用開閉弁Ｖｉｎ１を開いて給水用ポンプＰ１が運転開始されているか判定する。この判定は、第１給水用開閉弁Ｖｉｎ１を開いて給水用ポンプＰ１が運転開始されるまで続行される。運転が開始されると、ステップＳ１４１に進む。
【０１１１】
ステップＳ１４１において、第１電極ＮＷ１を起動し、第１電解槽２内の残留塩素濃度を上昇させる。
【０１１２】
次いで、ステップＳ１４２において、タイマ管理を行い、所定時間ｔ１が経過すればステップＳ１４３に進み、第１電極ＮＷ１を停止し、ステップＳ１４４に進む。
【０１１３】
ステップＳ１４４において、タイマ管理を行い、所定時間ｔ２が経過すればステップＳ１４５で再び第１電極ＮＷ１を起動する。
【０１１４】
次いで、ステップＳ１４６でタイマ管理を行い、所定時間ｔ３が経過すればステップＳ１４３に戻って第１電極ＮＷ１を停止する。
【０１１５】
この第４電解槽内濃度維持処理Ｃ４は、残留塩素濃度管理装置１が駆動されている限り繰り返し行われる。
【０１１６】
＜第５電解槽内濃度維持処理Ｃ５＞
図１３に示すように、第５電解槽内濃度維持処理Ｃ５では、ステップＳ１５０において、第２給水用開閉弁Ｖｉｎ２を開いて給水用ポンプＰ１が運転開始されているか判定する。この判定は、第２給水用開閉弁Ｖｉｎ２を開いて給水用ポンプＰ１が運転開始されるまで続行される。運転が開始されると、ステップＳ１５１に進む。
【０１１７】
ステップＳ１５１において、第２電極ＮＷ２を起動し、第２電解槽３内の残留塩素濃度を上昇させる。
【０１１８】
次いで、ステップＳ１５２において、タイマ管理を行い、所定時間ｔ１が経過すればステップＳ１５３に進み、第２電極ＮＷ２を停止し、ステップＳ１５４に進む。
【０１１９】
ステップＳ１５４において、タイマ管理を行い、所定時間ｔ２が経過すればステップＳ１５５で再び第２電極ＮＷ２を起動する。
【０１２０】
さらにステップＳ１５６でタイマ管理を行い、所定時間ｔ３が経過すればステップＳ１５３に戻って第２電極ＮＷ２を停止する。
【０１２１】
この第５電解槽内濃度維持処理Ｃ５も、残留塩素濃度管理装置１が駆動されている限り繰り返し行われる。
【０１２２】
したがって、本変形例では、タイマ管理をすることで、濃度測定用ポンプＰ４，Ｐ５、電解槽用濃度測定センサＣＭ２，ＣＭ３及び濃度測定用開閉弁Ｖｃｍ１，Ｖｃｍ２を設けることなく、第１及び第２電解槽２，３内の残留塩素濃度が管理できるので、さらなる製造コスト及び維持コストの低減が可能である。
【０１２３】
（実施形態２）
図１４は本発明の実施形態２の配水管注入式残留塩素濃度管理装置３０１を示し、主に配水管濃度測定用ポンプＰ３と、配水管用濃度測定センサＣＭ１とを備えない点で図９に示す上記実施形態１の変形例１と異なる。
【０１２４】
すなわち、本実施形態の配水管注入式残留塩素濃度管理装置３０１は、配水管１０に設けられた流量計１１を備えている。
【０１２５】
制御部４は、流量計１１が所定の配水量を測定したときに、第１及び第２電解槽２，３から輪番で貯留水を配水管１０に注入するように構成されている。
【０１２６】
−運転動作−
次に、本実施形態にかかる配水管注入式残留塩素濃度管理装置３０１の運転動作について説明する。
【０１２７】
＜メインルーチン＞
図１５に示すように、まず、残留塩素濃度管理装置３０１のメインをスタートさせ、ステップＳ４０１に進む。
【０１２８】
ステップＳ４０１では、上記実施形態１の変形例１の第１及び第２電解槽２，３内の残留塩素濃度を維持するための第３電解槽内濃度維持処理Ｃ３を行う。
【０１２９】
第３電解槽内濃度維持処理Ｃ３の起動が終わると、ステップＳ４０２に進む。
【０１３０】
ステップＳ４０２において、流量計１１で計測した配水量Ｆが所定の配水量ｆ１以上になったか判定する。ｆ１以上になると、配水管１０内の濃度が不十分であると推定されるので、ステップＳ４０３に進み、第１注入用開閉弁Ｖｏｕｔ１を開いて注入用ポンプＰ２を起動し、配水量Ｆをリセットし、ステップＳ４０４に進む。このことで、第１電解槽２で高い残留塩素濃度に保たれた貯留水が、制御部４の指示により配水管１０に適宜注入されるので、配水管１０内を通る水の品質が保たれる。
【０１３１】
次いで、ステップＳ４０４では、第１電解槽２内の水位Ｈ１が下限値ＬＷＬ以下であるかが判定される。第１電解槽２内の水位Ｈ１が下限値ＬＷＬ以下である場合には、第１電解槽２内に給水が必要となるので、ステップＳ４０５に進み、後述する図１６の第３給水処理Ａ３を開始する。第３給水処理Ａ３が終了すると、ステップＳ４０２に戻る。
【０１３２】
逆にステップＳ４０４の判定において、第１電解槽２内の水位Ｈ１が下限値ＬＷＬよりも高い場合には、第１電解槽２内に給水を必要としないので、ステップＳ４０６に進む。
【０１３３】
ステップＳ４０６において、流量計１１で計測した配水量Ｆが所定の配水量ｆ２以上になったか判定する。ｆ２以上になると、第１電解槽２の貯留水が十分に注水されて濃度は十分であると推定され、ステップＳ４０７に進み、第１注入用開閉弁Ｖｏｕｔ１を閉じて注入用ポンプＰ２を停止してＦの値をリセットし、ステップＳ４０８に進む。
【０１３４】
ステップＳ４０８では、第１電解槽２内に水道水を給水するために、上述した第１電解槽給水処理Ａ２を行い、ステップＳ４０９に進む。
【０１３５】
ステップＳ４０９では、流量計１１で計測した配水量Ｆが所定の配水量ｆ３以上になったか判定する。ｆ３以上になると、配水管１０内の濃度が不十分であると推定されるので、ステップＳ４１０に進み、第２注入用開閉弁Ｖｏｕｔ２を開いて注入用ポンプＰ２を起動し、配水量Ｆをリセットし、ステップＳ４１１に進む。このことで、第１電解槽２に代わって第２電解槽３で高い残留塩素濃度に保たれた貯留水が、制御部４の指示により配水管１０に適宜注入される。
【０１３６】
ステップＳ４１１において、第２電解槽３内の水位Ｈ２が下限値ＬＷＬ以下であるか判定される。下限値ＬＷＬ以下であれば、第２電解槽３内に給水が必要であるので、ステップＳ４１２に進み、後述する図１７の第４給水処理Ｂ３を開始する。第４給水処理Ｂ３が終了すると、ステップＳ４０９に戻る。
【０１３７】
逆にステップＳ４１１において、第２電解槽３内の水位Ｈ２が下限値ＬＷＬよりも高いときにはステップＳ４１３に進み、流量計１１で計測した配水量Ｆが所定の配水量ｆ４以上になったか判定する。ｆ４以上になると、第２電解槽３の貯留水が十分に注水されて濃度は十分であると推定され、ステップＳ４１４に進み、第２注入用開閉弁Ｖｏｕｔ２を閉じて注入用ポンプＰ２を停止し、ステップＳ４１５に進んで上述した第２電解槽給水処理Ｂ２を行い、メインを終了する。
【０１３８】
＜第３給水処理Ａ３＞
図１６に示すように、第３給水処理Ａ３は、ステップＳ２１０’及びステップＳ２１１’が図３に示す上記第１給水処理Ａ１のステップＳ２１０及びステップＳ２１１と異なる。このため、異なる部分についてのみ説明する。
【０１３９】
ステップＳ２１０’では、配水量Ｆが所定の配水量ｆ５以上になったか判定する。配水量ｆ５よりも小さいときには、まだ配水管１０内の濃度が不十分であると推定されるため、ステップＳ２０７に戻り、注入用ポンプＰ２の駆動が維持される。一方、配水量ｆ５以上のときには、濃度は十分であると推定されるので、ステップＳ２１１’に進み、第２注入用開閉弁Ｖｏｕｔ２を閉じて注入用ポンプＰ２を停止し、Ｆの値をリセットする。次いで、ステップＳ２１２に進んで、上述する第２電解槽給水処理Ｂ２を行い、第３給水処理Ａ３を終了する。
【０１４０】
＜第４給水処理Ｂ３＞
図１７に示すように、第４給水処理Ｂ３は、ステップＳ２３０’及びステップＳ２３１’が図４に示す上記第２給水処理Ｂ１のステップＳ２３０及びステップＳ２３１と異なる。このため、異なる部分についてのみ説明する。
【０１４１】
ステップＳ２３０’では、配水量Ｆが所定の配水量ｆ５以上になったか判定する。配水量ｆ５よりも小さいときには、まだ配水管１０内の濃度が不十分であると推定されるため、ステップＳ２２７に戻り、注入用ポンプＰ２の駆動が維持される。一方、配水量ｆ５以上のときには、濃度は十分であると推定されるので、ステップＳ２３１’に進み、第１注入用開閉弁Ｖｏｕｔ１を閉じて注入用ポンプＰ２を停止し、Ｆの値をリセットする。次いで、ステップＳ２３２に進んで、上述する第１電解槽給水処理Ａ２を行い、第４給水処理Ｂ３を終了する。
【０１４２】
したがって、本実施形態においては、配水管１０内を通る配水量を計測することで、その配水量に合わせて高い残留塩酸濃度の貯留水を注入すれば、配水管１０内の残留塩酸濃度が低下するのを防ぐことができるので、高価な配水管用濃度測定センサＣＭ１を設ける必要がなく、製造コスト及び維持コストの低減が可能である。
【０１４３】
−実施形態２の変形例１−
上記実施形態２では、ステップＳ４０１において、第３電解槽内濃度維持処理Ｃ３を行ったが、第１及び第２電解槽内濃度維持処理Ｃ１，Ｃ２や第４及び第５電解槽内濃度維持処理Ｃ４，Ｃ５を行うように構成を変形してもよい。
【０１４４】
−実施形態２の変形例２−
上記実施形態２では、流量計１１によって配水管１０内を流れる配水量Ｆを測定したが、制御部４に配水管１０で使用する配水量の予測データを予めインプットし、該予測データに基づいて上記第１及び第２電解槽２，３から輪番で貯留水を上記配水管１０に注入するように構成してもよい。
【０１４５】
具体的には、例えば図１８に示すように、１時間当たりの予測配水量をインプットし、流量計１１で直接配水量Ｆを測定するのではなく、予測データを基に配水量を予測し、配水量Ｆの値を実測値ではなく予測値により入力し、上記実施形態２と同様に制御を行う。
【０１４６】
このように、配水管１０内を通過する水の配水量は、ある程度季節や時間によって予測可能であるため、予め予測された予測データに合わせて第１及び第２電解槽２，３から輪番で高い残留塩素濃度の貯留水を注入すれば配水管１０内の残留塩酸濃度の低下を防ぐことができ、また、高価な配水管用濃度測定センサＣＭ１を設ける必要がなく、製造コスト及び維持コストの低減が可能である。
【０１４７】
（実施形態３）
図１９は本発明の実施形態３の残留塩素濃度管理装置４０１を示し、配水管濃度測定用ポンプＰ３及び配水管用濃度測定センサＣＭ１を備えていない点で図１１に示す上記実施形態１の変形例２と異なる。
【０１４８】
すなわち、本実施形態の制御部４は、タイマ管理により、所定時間間隔を空けて第１及び第２電解槽２，３から輪番で貯留水を上記配水管１０に注入するように構成されている。
【０１４９】
＜メインルーチン＞
図２０に示すように、まず、残留塩素濃度管理装置４０１のメインをスタートさせ、ステップＳ５０１に進む。
【０１５０】
ステップＳ５０１では、上記実施形態１の変形例２の第１及び第２電解槽２，３内の残留塩素濃度を維持するための第４及び第５電解槽内濃度維持処理Ｃ４，Ｃ５を行う。
【０１５１】
第４及び第５電解槽内濃度維持処理Ｃ４，Ｃ５の起動が終わると、ステップＳ５０２に進む。
【０１５２】
ステップＳ５０２において、所定時間Ｔ１以上経過したか判定する。Ｔ１以上経過すると、配水管１０内の濃度が不十分であると推定されるので、ステップ５０３に進み、第１注入用開閉弁Ｖｏｕｔ１を開いて注入用ポンプＰ２を起動し、タイマ値Ｔをリセットし、ステップＳ５０４に進む。このことで、第１電解槽２で高い残留塩素濃度に保たれた貯留水が、制御部４の指示により配水管１０に適宜注入されるので、配水管１０内を通る水の品質が保たれる。
【０１５３】
次いで、ステップＳ５０４では、第１電解槽２内の水位Ｈ１が下限値ＬＷＬ以下であるかが判定される。第１電解槽２内の水位Ｈ１が下限値ＬＷＬ以下である場合には、第１電解槽２内に給水が必要となるので、ステップＳ５０５に進み、後述する図２１の第５給水処理Ａ４を開始する。第５給水処理Ａ４が終了すると、ステップＳ５０２に戻る。
【０１５４】
逆にステップＳ５０４の判定において、第１電解槽２内の水位Ｈ１が下限値ＬＷＬよりも高い場合には、第１電解槽２内に給水を必要としないので、ステップＳ５０６に進む。
【０１５５】
ステップＳ５０６において、所定時間Ｔ２以上経過したか判定する。Ｔ２以上経過すると、第１電解槽２の貯留水が十分に注水されて濃度は十分であると推定され、ステップＳ５０７に進み、第１注入用開閉弁Ｖｏｕｔ１を閉じて注入用ポンプＰ２を停止してＴの値をリセットし、ステップＳ５０８に進む。
【０１５６】
ステップＳ５０８では、第１電解槽２内に水道水を給水するために、上述した第１電解槽給水処理Ａ２を行い、ステップＳ５０９に進む。
【０１５７】
ステップＳ５０９では、所定時間Ｔ３以上経過したか判定する。Ｔ３以上経過すると、配水管１０内の濃度が不十分であると推定されるので、ステップＳ５１０に進み、第２注入用開閉弁Ｖｏｕｔ２を開いて注入用ポンプＰ２を起動し、Ｔをリセットし、ステップＳ５１１に進む。このことで、第１電解槽２に代わって第２電解槽３で高い残留塩素濃度に保たれた貯留水が、制御部４の指示により配水管１０に適宜注入される。
【０１５８】
ステップＳ５１１において、第２電解槽３内の水位Ｈ２が下限値ＬＷＬ以下であるか判定される。下限値ＬＷＬ以下であれば、第２電解槽３内に給水が必要であるので、ステップＳ５１２に進み、後述する図２２の第６給水処理Ｂ４を開始する。第６給水処理Ｂ４が終了すると、ステップＳ５０９に戻る。
【０１５９】
逆にステップＳ５１１において、第２電解槽３内の水位Ｈ２が下限値ＬＷＬよりも高いときにはステップＳ５１３に進み、所定時間Ｔ４以上経過したか判定する。Ｔ４以上経過すると、第２電解槽３の貯留水が十分に注水されて濃度は十分であると推定され、ステップＳ５１４に進み、第２注入用開閉弁Ｖｏｕｔ２を閉じて注入用ポンプＰ２を停止し、ステップＳ５１５に進んで上述した第２電解槽給水処理Ｂ２を行い、メインを終了する。
【０１６０】
したがって、本実施形態においては、配水管１０内の残留塩素濃度を計測する配水管用濃度測定センサＣＭ１を設けなくても、タイマ管理して一定間隔で第１及び第２電解槽２，３から輪番で高い残留塩素濃度の貯留水を確実に配水管１０内に注入することで、配水管１０内の水質を維持することができる。
【０１６１】
＜第５給水処理Ａ４＞
図２１に示すように、第５給水処理Ａ４は、ステップＳ２１０’’及びステップＳ２１１’’が図３に示す上記第１給水処理Ａ１のステップＳ２１０及びステップＳ２１１と異なる。このため、異なる部分についてのみ説明する。
【０１６２】
ステップＳ２１０’’では、所定時間Ｔ５以上経過したか判定する。Ｔ５経過していないと、まだ配水管１０内の濃度が不十分であると推定されるため、ステップＳ２０７に戻り、注入用ポンプＰ２の駆動が維持される。一方、Ｔ５経過しているときには、濃度は十分であると推定されるので、ステップＳ２１１’’に進み、第２注入用開閉弁Ｖｏｕｔ２を閉じて注入用ポンプＰ２を停止し、Ｔの値をリセットする。次いで、ステップＳ２１２に進んで、上述する第２電解槽給水処理Ｂ２を行い、第５給水処理Ａ４を終了する。
【０１６３】
＜第６給水処理Ｂ４＞
図２２に示すように、第６給水処理Ｂ４は、ステップＳ２３０’’及びステップＳ２３１’’が図４に示す上記第２給水処理Ｂ１のステップＳ２３０及びステップＳ２３１と異なる。このため、異なる部分についてのみ説明する。
【０１６４】
ステップＳ２３０’’では、所定時間Ｔ５以上経過したか判定する。Ｔ５経過していないと、まだ配水管１０内の濃度が不十分であると推定されるため、ステップＳ２２７に戻り、注入用ポンプＰ２の駆動が維持される。一方、Ｔ５経過しているときには、濃度は十分であると推定されるので、ステップＳ２３１’’に進み、第１注入用開閉弁Ｖｏｕｔ１を閉じて注入用ポンプＰ２を停止し、Ｔの値をリセットする。次いで、ステップＳ２３２に進んで、上述する第１電解槽給水処理Ａ２を行い、第６給水処理Ｂ４を終了する。
【０１６５】
−実施形態３の変形例−
上記実施形態２では、ステップＳ４０１において、第４及び第５電解槽内濃度維持処理Ｃ４，Ｃ５を行ったが、第１及び第２電解槽内濃度維持処理Ｃ１，Ｃ２や第３電解槽内濃度維持処理Ｃ３を行うように構成してもよい。
【０１６６】
（その他の実施形態）
本発明は、上記各実施形態について、以下のような構成としてもよい。
【０１６７】
すなわち、上記各実施形態では、２つの電解槽２，３のみを備えた例について説明したが、３つ以上備えていてもよい。この場合には、制御部４は、３つ以上の電解槽に対応する注入用開閉弁のうちいずれか１つを開いたときには、他の注入用開閉弁を全て閉じるように構成するとよい。
【０１６８】
なお、以上の実施形態は、本質的に好ましい例示であって、本発明、その適用物や用途の範囲を制限することを意図するものではない。
【図面の簡単な説明】
【０１６９】
【図１】本発明の実施形態１にかかる配水管注入式残留塩素濃度管理装置の概略図である。
【図２】本発明の実施形態１にかかる配水管注入式残留塩素濃度管理装置のメインルーチンのフローチャートである。
【図３】第１給水処理を示すフローチャートである。
【図４】第２給水処理を示すフローチャートである。
【図５】第１電解槽給水処理を示すフローチャートである。
【図６】第２電解槽給水処理を示すフローチャートである。
【図７】第１電解槽内濃度維持処理を示すフローチャートである。
【図８】第２電解槽内濃度維持処理を示すフローチャートである。
【図９】本発明の実施形態１の変形例１にかかる配水管注入式残留塩素濃度管理装置の概略図である。
【図１０】第３電解槽内濃度維持処理を示すフローチャートである。
【図１１】本発明の実施形態１の変形例２にかかる配水管注入式残留塩素濃度管理装置の概略図である。
【図１２】第４電解槽内濃度維持処理を示すフローチャートである。
【図１３】第５電解槽内濃度維持処理を示すフローチャートである。
【図１４】本発明の実施形態２にかかる配水管注入式残留塩素濃度管理装置の概略図である。
【図１５】本発明の実施形態２にかかる配水管注入式残留塩素濃度管理装置のメインルーチンのフローチャートである。
【図１６】第３給水処理を示すフローチャートである。
【図１７】第４給水処理を示すフローチャートである。
【図１８】本発明の実施形態２の変形例２にかかる配水管注入式残留塩素濃度管理装置に使用する配水量の予測値を示すグラフである。
【図１９】本発明の実施形態３にかかる配水管注入式残留塩素濃度管理装置の概略図である。
【図２０】本発明の実施形態３にかかる配水管注入式残留塩素濃度管理装置のメインルーチンのフローチャートである。
【図２１】第５給水処理を示すフローチャートである。
【図２２】第６給水処理を示すフローチャートである。
【符号の説明】
【０１７０】
１      配水管注入式残留塩素濃度管理装置
２      第１電解槽
３      第２電解槽
４      制御部
８ａ    第１注入用配管
８ｂ    第２注入用配管
１０      配水管
１１      流量計
ＮＷ１      第１電極
ＮＷ２      第２電極
Ｐ１      給水用ポンプ
Ｐ２      注入用ポンプ
Ｐ４      第１濃度測定用ポンプ
Ｐ５      第２濃度測定用ポンプ
Ｖｉｎ１      第１給水用開閉弁
Ｖｏｕｔ１      第１注入用開閉弁
Ｖｃｍ１  第１濃度測定用開閉弁
Ｖｉｎ２      第２給水用開閉弁
Ｖｏｕｔ２      第２注入用開閉弁
Ｖｃｍ２  第２濃度測定用開閉弁
ＣＭ１      配水管用濃度測定センサ
ＣＭ２      第１電解槽用濃度測定センサ
ＣＭ３      第２電解槽用濃度測定センサ
【図１】
2009285576.tif 000003
【図２】
2009285576.tif 000004
【図３】
2009285576.tif 000005
【図４】
2009285576.tif 000006
【図５】
2009285576.tif 000007
【図６】
2009285576.tif 000008
【図７】
2009285576.tif 000009
【図８】
2009285576.tif 000010
【図９】
2009285576.tif 000011
【図１０】
2009285576.tif 000012
【図１１】
2009285576.tif 000013
【図１２】
2009285576.tif 000014
【図１３】
2009285576.tif 000015
【図１４】
2009285576.tif 000016
【図１５】
2009285576.tif 000017
【図１６】
2009285576.tif 000018
【図１７】
2009285576.tif 000019
【図１８】
2009285576.tif 000020
【図１９】
2009285576.tif 000021
【図２０】
2009285576.tif 000022
【図２１】
2009285576.tif 000023
【図２２】
2009285576.tif 000024